(57)【特許請求の範囲】
【請求項１】
単繊維繊度０．００１〜１．１デシテックスの極細繊維を少なくとも表面に有する繊維布に、合皮、皮革、樹脂、織・編物または不織布を付加してなる複合繊維布が、該極細繊維を有する表面がストラップの裏面となるように用いられて構成されてなることを特徴とするストラップ。
【請求項２】
携帯電話用ストラップであることを特徴とする請求項１に記載のストラップ。
【請求項３】
デジタルカメラ用ストラップであることを特徴とする請求項１または２に記載のストラップ。
【請求項４】
ゲーム機用ストラップであることを特徴とする請求項１〜３のいずれか一つに記載のストラップ。
【請求項５】
携帯情報端末機用ストラップであることを特徴とする請求項１〜４のいずれか一つに記載のストラップ。
【発明の詳細な説明】
【０００１】
【発明の属する技術分野】
本発明は、ストラップに関する。
【０００２】
特に、携帯電話、デジタルカメラ・デジタルビデオカメラ等の各種カメラ・ビデオカメラ類、ゲーム機、携帯情報端末機、あるいはその他の携行あるいは携帯品など（以下、これらを総称して「携帯電話等の携行・携帯機器類」という）に取り付けられてストラップとして、あるいはストラップに取り付けられてストラップの一部としてあるいはストラップの全部として使用できるストラップ・マスコット部材に関する。
【０００３】
特に、従来のストラップが、単に携帯電話等の携行・携帯機器類を保持する一助にという目的で使用されるものであったのに対して、従来なかった新たな便宜と利点を携帯電話等の携行・携帯機器類等の利用者に与え得る、新規で有用な該機器類用のストラップあるいはストラップ・マスコット部材に関するものである。
【０００４】
なお、本発明において、上記「ストラップ・マスコット部材」とは、ストラップに取り付けられて用いられるマスコット部材、あるいは、ストラップ自体の一部あるいは全部がマスコット的に形成されてかつストラップを形成している構造のストラップ部材を総称していうものである。
【０００５】
【従来の技術】
従来、一般に、例えば、携帯電話は裸のままで鞄やポケットの中に入れられて持ち運ばれたり、場合によっては、長い時間にわたり素手で握られてかつ顔に接触させられて使用あるいは持ち運ばれるようにして使用されることが多い。
【０００６】
このような使われ方をすると、液晶表示面や本体が汚れたり、顔や手指の脂分などが付着することなども多くあった。
【０００７】
このようなときに液晶表示面や携帯電話本体等の汚れなどを落とそうとしてハンカチやチリ紙などで拭こうとしても、十分に汚れを落とすことができないものであった。
【０００８】
このような問題は、目視画面部分や表示画面部分があるデジタルカメラ・デジタルビデオカメラ等の各種カメラ・ビデオカメラ類や、ゲーム機、携帯情報端末機などでも同様であった。
【０００９】
【発明が解決しようとする課題】
このようなとき、液晶表示面や携帯電話本体等の汚れなどを落とすのに極めて効果的な払拭効果を持つものが利用者の手近なところにあれば非常に便利である。
【００１０】
本発明の目的は、上述したような点に鑑み、携帯電話などの携行・携帯機器類の利用者に手近なものであって、かつ、該携行・携帯機器類の液晶表示画面や本体の汚れなどを非常に効果的に払拭ができるものを提供することを目的とする。
【００１１】
【課題を解決するための手段】
本発明は、特に上述したような携行・携帯機器類用のストラップやその関連物に注目したものである。
【００１２】
上述した目的を達成する本発明は、以下の（１）〜（５）の構成からなる。
（１）単繊維繊度０．００１〜１．１デシテックスの極細繊維を少なくとも表面に有する繊維布に、合皮、皮革、樹脂、織・編物または不織布を付加してなる複合繊維布が、該極細繊維を有する表面がストラップの裏面となるように用いられて構成されてなることを特徴とするストラップ。
（２）携帯電話用ストラップであることを特徴とする上記（１）に記載のストラップ。
（３）デジタルカメラ用ストラップであることを特徴とする上記（１）または（２）に記載のストラップ。
（４）ゲーム機用ストラップであることを特徴とする上記（１）〜（３）のいずれか一つに記載のストラップ。
（５）携帯情報端末機用ストラップであることを特徴とする上記（１）〜（４）のいずれか一つに記載のストラップ。
【００１３】
あるいは、上述した目的を達成する本発明は、以下の（１０）〜（１７）の構成からなる。
（１０）単繊維繊度０．００１〜１．１デシテックスの極細繊維を少なくとも表面に有する繊維布が少なくとも表面に用いられたマスコット部材が、付設されてなることを特徴とするストラップ。
（１１）繊維布が、織物からなることを特徴とする上記（１０）に記載のストラップ。
（１２）繊維布が、編物からなることを特徴とする上記（１０）に記載のストラップ。
（１３）繊維布が、不織布からなることを特徴とする上記（１０）に記載のストラップ。
（１４）マスコット部材が、ぬいぐるみ状のものであることを特徴とする上記（１０）〜（１３）のいずれか一つに記載のストラップ。
（１５）マスコット部材が、ぼんぼり状のものであることを特徴とする上記（１０）〜（１３）のいずれか一つに記載のストラップ。
（１６）マスコット部材が、房状のものであることを特徴とする上記（１０）〜（１３）のいずれか一つに記載のストラップ。
（１７）単繊維繊度０．００１〜１．１デシテックスの極細繊維を少なくとも有している繊維布表面上に、該面を識別可能な模様が付与されていることを特徴とする上記（１）〜（１６）のいずれか一つに記載のストラップ。
【００１４】
あるいは、また本発明は、以下の（１８）からなる携帯電話等の携行・携帯機器類用のマスコット部材を、同様の目的を達成できるものとして提供するものである。
（１８）単繊維繊度０．００１〜１．１デシテックスの極細繊維を少なくとも表面に有する繊維布が少なくとも表面に用いられているとともに、携帯電話等の携行・携帯機器類のストラップにマスコット的に取り付けられて、あるいは携帯電話等の携行・携帯機器類のストラップの一部もしくは全部がマスコット的に形成されていることを特徴とするストラップ・マスコット部材。
【００１５】
【発明の実施の形態】
以下、図面等を用いて、特に携帯電話等の携行・携帯機器用として好適に用いられ得る、本発明に係るストラップ、あるいはストラップ・マスコット部材について詳細に説明する。
【００１６】
図１は、本発明に係るストラップの一実施態様例を説明する図であり、携帯電話用のストラップとしての１実施態様例を示した外観概略モデル図である。
【００１７】
同図において、１は携帯電話本体であり、２は本発明品の一実施態様たる携帯電話用ストラップである。
【００１８】
本発明においては、かかる携帯電話用などのストラップを単繊維繊度０．００１〜１．１デシテックスの極細繊維を少なくとも表面に有する繊維布を、少なくともストラップ表面の一部に用いて構成せしめたものである。
【００１９】
ここで、ストラップ表面とは、ストラップにおいて表面という意味であり、表の面あるいは裏の面のいずれでも、区別なく表面でさえあればよく、すなわち、外表面と内表面の双方を含む概念である。
【００２０】
かかる本発明に係るストラップを携帯電話等に付設して使用すれば、該ストラップを液晶表示面等をワイピングする道具としても使用できるものであり、特に、単繊維繊度０．００１〜１．１デシテックスの極細繊維は、被払拭物に密着し、細径の繊維が被払拭物に付着した汚れや脂分などをそぎ取り、かつ細径の繊維間に形成される繊維間間隙に該汚れや脂分などを取り込んで、非常に効果的に拭き取ることができるのである。
【００２１】
図２は、本発明に係るストラップ・マスコット部材の１実施態様例を示した外観概略モデル図であり、図１と同じく携帯電話用の一実施態様例を示したものである。
【００２２】
同図において、３が、単繊維繊度０．００１〜１．１デシテックスの極細繊維を少なくとも表面に有する繊維布が少なくとも表面に用いられ、携帯電話のストラップに取り付けられて、あるいは携帯電話のストラップの一部もしくは全部をなして使用される携帯電話用のマスコット部材であり、同図ではストラップ２に取り付けられて使用されている態様を示している。
【００２３】
本発明にかかる上述のストラップあるいはストラップ・マスコット部材を用いていれば、電話機等の携行・携帯機器類の本体などの払拭をしたいときなど、即座にそれらを用いて高い清浄効果で払拭することができる。
【００２４】
該繊維布は、細かな立体凹凸のある携帯電話等の本体をある程度隅々まで払拭できるように柔軟な繊維布であることが望ましい。また、該繊維布は極細繊維を少なくとも表面層に有することが重要である。
【００２５】
特に、ストラップの場合、ワイピング布・ワイピングテープ、クリーニング布ピースなどとして使用することができ、マスコット部材の場合には、一般に、柔軟なワイピング体もしくはクリーニング体として、微妙なタッチ・キーの周辺なども安心して払拭することができる。
【００２６】
本発明に係るストラップあるいはストラップ・マスコット部材において、繊維布は、織物、編物、不織布などのうちいずれからなるものであってもよいが、上述のように柔軟な繊維布であることが払拭のしやすさから好ましい。
【００２７】
ストラップ・マスコット部材は、内部に綿やスポンジが詰められ表面が上述繊維布からなるぬいぐるみ状のものや、ぼんぼり状のもの、あるいは房状のものなどを使用することができる。ストラップ・マスコット部材は、図２に示したように、携帯電話等の携行・携帯機器類のストラップにマスコット的に取り付けられて使用されるものでもよいが、他の態様として、携帯電話等の携行・携帯機器類のストラップ自体の一部もしくは全部がマスコット的に形成されているものでもよく、上述のぬいぐるみ状のもの等は該態様のものにも適している。ストラップをテープ状のもので構成するに際しては、内部に綿などの心材を入れてもよいが、全体として柔軟さを損なわないようにするのがよい。
【００２８】
繊維布において、単繊維繊度０．００１〜１．１デシテックスの極細繊維を表面層に位置させるには、通常は、該極細繊維１００％使いで該繊維布を構成することや、あるいは緯糸あるいは経糸のいずれかの織糸や編糸が表面に表れる織編物組織として、該表面に表れる織糸や編糸に極細繊維糸を用いる等の手段で実現することができる。また、単繊維繊度０．００１〜１．１デシテックスの極細繊維を用いて不織布を構成することによっても達成できる。
【００２９】
単繊維繊度０．００１〜１．１デシテックスの極細繊維は、特に限定されないが、ポリエステル系繊維やポリアミド系繊維など、また、円形断面のものや異形断面のものなどを適宜に使用することができる。特に、ポリエステル系繊維の場合、強度も大きく丈夫なストラップもしくはストラップ・マスコット部材を実現できる。
【００３０】
また、それらの極細繊維は、ポリエステル系繊維あるいはポリアミド系繊維などのうちの単独の使用であってもよく、あるいは、ポリエステル系繊維とポリアミド系繊維などの混用使用であってもよい。このような異種繊維を混合使用する場合、繊維間の間隙を形成しやすいことによって、より高いワイピング効果を得ることができる。
【００３１】
本発明において、繊維布とは、織物や編物、あるいは不織布のいずれかを含む概念であり、これら単独でも使用でき、さらにはこれらが組合わされた複合繊維布としても使用できる。
【００３２】
また、繊維布は、立毛パイルを持つ立毛布やタオル地などでもよく、その場合は、立毛パイルを構成する繊維が、単繊維繊度０．００１〜１ｄｔｅｘの極細繊維からなるものとするのがよい。ビロード織物やタオル編地のような立毛パイル布帛も、単位面積当たりの極細繊維量が多くできることから、高いワイピング効果を得ることが可能になるからである。
【００３３】
特に、織物の場合には、布構造としてしっかりとしたものにできるので好ましい。また、編物の場合には、布自体に膨らみ感や肉厚感を出すことが比較的簡単であり好ましい。不織布は、耐久性やコストの点で有利であり、使い捨てに近い感覚で使用するようなものに適している。
【００３４】
繊維布は、多少厚めにした方が、丈夫さという観点から好ましい。繊維布は、二重等の多層のものにしてもよく、さらに、多層構造のものとして、その内部には薄目のスポンジシートやポリエステル繊維等の綿状シート状物等を包み込んだ構成のものにしてもよい。
【００３５】
また、全体にわたりキルティングを施したものなどでもよい。このようなキルティングをすることは、スポンジや綿状シート等を内部に包み込んだ形として構成するときに、スポンジ等の移動や形崩れを防止できる等の点で良いものである。
【００３６】
このような単繊維繊度０．００１〜１．１デシテックスの極細繊維を少なくとも表面に有する繊維布を製造する方法は、特に限定されないが、例えば、複数の成分から構成される複合繊維を用いて、特に、該複合成分のうち、一成分を溶出除去する、あるいは各成分ごとに分割する等の、後の極細化加工により極細化が可能にされてなる複合繊維を原料繊維に用いて製布すること等により製造できる。
【００３７】
このような極細繊維を有する繊維布の製造は、近年、合成繊維関係業界では広く行われてきているものであり、極細化加工は、繊維や、その集合体たる糸の段階、あるいは繊維布に形成された後などの段階で行うことができる。極細繊維としての太さは、製造のしやすさ、コストの点、ワイピング性能・クリーニング性能、効果などから、単繊維繊度０．０１〜１．１デシテックスの範囲内であることが有効であり、中でも、単繊維繊度０．０１〜０．６デシテックスの範囲内が最も実用的かつ効果的である。
【００３８】
該繊維布の製造に際しては、例えば、上記の複合繊維が集合した糸の段階で、仮より加工などの捲縮嵩高加工を施してもよいし、あるいは、織物や編物、不織布などに形成した後、ウォーターパンチング加工等を施すことなどにより、極細繊維に、いわゆるバラけ効果とも言うべき開繊効果（極細繊維の１本１本が、集束した束状から多少バラけて、互いに広がってスポンジのような立体構造の状態を示す効果）を与えることなどもできる。
【００３９】
このような開繊効果は、上記の捲縮嵩高加工によっても付与することができ、また、ポリエステル系繊維とポリアミド系繊維などの混用使用の場合には、それらの異種繊維が持つ収縮差などによっても付与することができる。
【００４０】
このような開繊効果により、極細繊維の１本１本が、集束した束状から多少バラけて、互いに広がってスポンジのような立体構造がうまく形成されているものは、上述したように、細径の繊維が、携帯電話本体や液晶表示面に付着した汚れや脂分などをそぎ取り、かつ細径の繊維間に形成される繊維間間隙に該汚れや脂分などをより効果的に取り込むことができるので、より高くかつ持続する拭き取り効果を得ることができ好ましいものである。
【００４１】
単繊維繊度０．００１〜１．１デシテックスの極細繊維を少なくとも表面に有する繊維布には、適宜に、合成皮革・合成レザー、皮革（天然皮革や人工皮革など）、ビニール等の樹脂シートまたは織物や編物、あるいは不織布などを付加して、ストラップ等を構成するようにして用いてもよく、そのように複合して用いることにより、強度や触感あるいは外観の向上などを実現することができる。
【００４２】
また、繊維布としては、適宜に防虫、防菌、抗菌、消臭、防臭、あるいは撥水加工などの各種の機能性付与加工を施したものを使用してもよい。
【００４３】
撥水加工を施したものを用いれば、多少の水ははじくことができる。
【００４４】
本発明のストラップあるいはストラップ・マスコット部材は、繊維布の色分けや模様、その形状・形態などを多種多様に構成でき、これにより複数の携帯電話を識別して使用することなどの要求にも対応できるものである。
【００４５】
例えば、単繊維繊度０．００１〜１．１デシテックスの極細繊維を少なくとも有している表面上に、使用者が該面を目で見て、クリーニング可能面と識別することが可能なように、ワイピング具あるいはクリーニング具等の商品名やマスコットネームなどや、適宜の模様等が付与されていることなども好ましいものである。
【００４６】
そのようにしておくことにより、使用者が簡単にワイピング面あるいはクリーニング面を知ることができ、咄嗟の使用にも耐え得て好ましいものである。このことは、例えば、カメラなどの場合であれば、シャッターチャンス・撮影チャンスを逃すことなく瞬時にレンズ面などを払拭でき、より美しい映像を撮影することをも可能ならしめるものである。
【００４７】
本発明に係るストラップ、ストラップ・マスコット部材は、携帯電話、デジタルカメラ・デジタルビデオカメラ等の各種カメラ・ビデオカメラ類、ゲーム機、携帯情報端末機、携帯ラジオ、携帯時計や、あるいはその他の携行あるいは携帯品などに好適に使用することができる。
【００４８】
また、上述のような携行・携帯機器類を収納する袋類やキャリングケース類（例えば、ＣＤプレーヤーやＭＤプレーヤーの携帯用収納ケース等）における締めヒモ類を兼ねたもの等としての利用もでき、本発明においてストラップとは、そのようなものも含んだ概念のものである。従って、紐状、帯紐状、組み紐状、ベルト状、テープ状のものなど、各種の態様で実現できる。
【００４９】
【発明の効果】
以上述べたとおりの本発明に係るストラップ、あるいはストラップ・マスコット部材を、携帯電話等の携行・携帯機器類等に用いれば、特に、該携行・携帯機器類の利用者等に手近なものであって、かつ、それら機器の液晶表示面や機器本体の汚れなどを効果的に払拭ができ、それらの携行・携帯機器類を気持ち良く使用することができる。
【００５０】
むろん、ストラップやマスコット部材は、商品としても、簡単に形状的工夫やデザインを施すことができ、各使用者の多様な個人的趣味感を満足させるものとしても十分に対応できるものである。
【００５１】
本発明に係るストラップ等は、携帯電話、デジタルカメラ・デジタルビデオカメラ等の各種カメラ・ビデオカメラ類、ゲーム機、携帯情報端末機、携帯ラジオ、携帯時計や、あるいはその他の携行あるいは携帯品などに好適に使用することができるものである。
【図面の簡単な説明】
【図１】図１は、本発明にかかるストラップの１実施態様例として、携帯電話用のストラップを示した外観概略モデル図である。
【図２】図２は、本発明にかかるストラップ・マスコット部材の１実施態様例として、携帯電話用のストラップ・マスコット部材を示した外観概略モデル図である。
【符号の説明】
１：携帯電話本体
２：本発明に係るストラップ
３：本発明に係るストラップ・マスコット部材
【図１】
0003633517.tif 000002
【図２】
0003633517.tif 000003